(57)【要約】【課題】遠隔操作においても、表面に損傷を生じさせることなく、電線と共にスリーブカバーを安定して保持できるスリーブカバー保持具を提供する。【解決手段】スリーブカバー保持具１は、スリーブカバーを挟持するカバー挟持部２と、電線を挟持する電線挟持部１０とを有している。カバー挟持部２を構成する一対の挟持片２ａ、２ｂは、枢支部４を介して一方にスリーブカバーを挟持する顎部６、他方に開閉操作のためのアーム８を有している。同様に、電線挟持部１０は、枢支部１２を介して一方に電線を挟持する顎部１４、他方に開閉操作のためのアーム１６を有している。カバー挟持部２及び電線挟持部１０は、枢支部４、１２を軸支する共通回転軸１８と、アーム８、１６を一体動可能に連結する操作部２０により所定の間隔を空けて一体に構成されている。操作部２０は遠隔操作工具と連結可能なアダプター２２を備えている。【選択図】図１
2018074675.tif 000002
【特許請求の範囲】
【請求項１】
電線の接続処理を施したスリーブを覆うスリーブカバーを仮保持するためのスリーブカバー保持具であって、
第１枢支部を介して、一方に前記スリーブカバーを挟持する第１顎部、他方に開閉操作のための第１アーム部を有したヤットコ型のカバー挟持部と、
第２枢支部を介して、一方に前記第１顎部よりも小さく且つ前記電線を挟持する第２顎部、他方に開閉操作のための第２アーム部を有したヤットコ型の電線挟持部と、
前記第１及び第２枢支部を所定の間隔を空けて支持したスペーサーと、
前記第１及び第２アーム部を一体動可能に連結した操作部と、
を備えたことを特徴とするスリーブカバー保持具。
【請求項２】
前記カバー挟持部の前記第１顎部は、
前記第１枢支部側に、内縁が凹状に形成された湾曲領域を有していることを特徴とする請求項１に記載のスリーブカバー保持具。
【請求項３】
前記カバー挟持部の前記第１顎部は、
前記第１枢支部の近傍に、前記湾曲領域を形成する前記第１顎部の内縁よりも内側へ突出した突出部が形成されていることを特徴とする請求項２に記載のスリーブカバー保持具。
【発明の詳細な説明】
【技術分野】
【０００１】
本発明は、切断された電線をスリーブを用いて接続処理した後、スリーブ周辺の絶縁処理を行うためのスリーブカバーを仮保持するスリーブカバー保持具に関するものである。
【背景技術】
【０００２】
無停電工事におけるバイパスケーブルの設置の際に切断された電線同士は、工事終了時にスリーブを介して接続される。
【０００３】
ここで用いられるスリーブの形態としては様々なものが知られている。それらの多くは電線端部の被覆が除去された導体部分同士をそれぞれ収容できる筒状部を有しており、その収容された導体部分が筒状部に圧着されることにより固定される構成となっている。
【０００４】
しかし、スリーブだけで導体部分を完全に覆うことは難しく、スリーブと被覆端部との隙間では導体部分が露出するので、絶縁性は十分ではない。そのため、露出した導体部分をスリーブと共に覆うためにスリーブカバーが用いられる。
【０００５】
図６は、従来のスリーブカバー１０４を示している。ここで示したスリーブカバー１０４では、本体部１０５が絶縁性を有する樹脂材により形成された円筒状の部材で構成されている。この材質には、例えば、絶縁性を有する難燃性ポリエチレンや難燃性ポリプロピレン等が適している。
【０００６】
そして、本体部１０５の両端には、端部チューブ１０６が取り付けられている。この端部チューブ１０６は、本体部１０５とは異なり、絶縁性に加えて伸縮性に優れた円筒状のゴム部材で構成されている。この端部チューブ１０６の内側には、筒状に巻かれたコア部材１０７が配置されている。このコア部材１０７は本体部１０５よりも内径が大きくなるように形成されている。これにより、端部チューブ１０６の入り口は、伸張拡径された状態に保持されている。
【０００７】
コア部材１０７は、螺旋状に巻回されたコアリボン１０７ａによって円筒形に形成されたものである。コアリボン１０７ａは外部に一端を伸ばして配置されており、この一端を引き出すことにより内側から螺旋が解かれてコア部材１０７を抜き取ることができる。コア部材１０７が抜き取られると、伸張拡径状態で保持されていた端部チューブ１０６が収縮して電線１００の被覆端部１０２に密着し、露出していた導体部分が覆われて絶縁性が回復する。
【０００８】
図６に示したような構成のスリーブカバー１０４については、特許文献１に記載がある。
【先行技術文献】
【特許文献】
【０００９】
【特許文献１】特開２０１５−７０７２５号公報
【発明の概要】
【発明が解決しようとする課題】
【００１０】
上述のようなスリーブカバー１０４を遠隔操作によって取り付けるためには、スリーブカバー１０４と電線１００とをそれぞれ保持するための遠隔操作工具が必要となる。また、コア部材１０７を除去するための遠隔操作工具も必要である。よって、少なくとも３本
の遠隔操作棒が用いられるので、２名以上の作業者が必要となる。
【００１１】
ところで、上述の従来例では、スリーブカバー１０４及び電線１００の保持に関しては、作業対象は異なるものの、動作的には同質の挟持作業である。したがって、スリーブカバー１０４及び電線１００の保持を１本の遠隔操作棒によってまとめて操作できるならば、作業負担を大幅に低減することが可能となる。そして、遠隔操作棒が３本から２本になれば、作業者が１名であってもスリーブカバー１０４の取り付け作業を行うことが可能である。
【００１２】
しかしながら、スリーブカバー１０４と電線１００とは外径が大きく異なっているので、両者を同時に挟持する場合、力の加減が難しい。また、挟持した際に、万が一、スリーブカバー１０４の表面に傷が生じると、耐久度が低下し、場合によっては絶縁不良の原因ともなりかねない。
【００１３】
よって、スリーブカバー１０４を挟持する際には、慎重に作業を行う必要がある。特に、遠隔操作では手元に感覚が伝わり難いので、単に挟持するだけの作業であってもある程度の熟練を要する。
【００１４】
そこで、本発明では、遠隔操作においても、表面に損傷を生じさせることなく、電線と共にスリーブカバーを安定して保持できるスリーブカバー保持具を提供することを目的とする。
【課題を解決するための手段】
【００１５】
上記目的を達成するために、本発明のスリーブカバー保持具は、電線の接続処理を施したスリーブを覆うスリーブカバーを仮保持するためのスリーブカバー保持具であって、第１枢支部を介して、一方に前記スリーブカバーを挟持する第１顎部、他方に開閉操作のための第１アーム部を有したヤットコ型のカバー挟持部と、第２枢支部を介して、一方に前記第１顎部よりも小さく且つ前記電線を挟持する第２顎部、他方に開閉操作のための第２アーム部を有したヤットコ型の電線挟持部と、前記第１及び第２枢支部を所定の間隔を空けて支持したスペーサーと、前記第１及び第２アーム部を一体動可能に連結した操作部とを備えたことを特徴とする。
【００１６】
また、本発明のスリーブカバー保持具は、上記構成に加えて、前記カバー挟持部の前記第１顎部は、前記第１枢支部側に、内縁が凹状に形成された湾曲領域を有していることを特徴とする。
【００１７】
また、本発明のスリーブカバー保持具は、上記構成に加えて、前記カバー挟持部の前記第１顎部は、前記第１枢支部の近傍に、前記湾曲領域を形成する前記第１顎部の内縁よりも内側へ突出した突出部が形成されていることを特徴とする。
【発明の効果】
【００１８】
以上のように、本発明によれば、操作部を操作するだけで、スペーサーによって所定間隔を空けて配置されたカバー挟持部と電線挟持部とが同時に開閉動作する。これにより、電線とスリーブカバーとを跨ぐように配置し、操作部の操作によって、カバー挟持部でスリーブカバーを挟持すると、それと同時に電線挟持部では電線が挟持されるので、電線に対してスリーブカバーの保持状態を安定させることができる。
【００１９】
また、本発明によれば、上記効果に加えて、凹状に湾曲形成された湾曲領域の第１顎部の内側をスリーブカバーに押し当てるようにして配置できる。これにより、スリーブカバーに押し当てた状態でカバー挟持部の第１顎部を閉じる場合、スリーブカバーが第１枢支
部近傍の内縁によってせん断状態に挟み込まれることを防止できる。
【００２０】
また、本発明によれば、上記効果に加えて、カバー挟持部をスリーブカバーに押し当てた際、突出部が内側に突出している分だけ、第１顎部の湾曲領域との間に隙間が形成される。これにより、第１顎部への挟み込みを確実に防止することができる。
【図面の簡単な説明】
【００２１】
【図１】本発明の実施の形態に係るスリーブカバー保持具の全体斜視図である。
【図２】図１のスリーブカバー保持具の正面図である。
【図３】図１のスリーブカバー保持具のカバー挟持部側から見た側面図である。
【図４】図１のスリーブカバー保持具の使用状態を説明する図である。
【図５】カバー挟持部の顎部を示し、（ａ）はスリーブカバー及び電線を収容できるように開放した状態を、（ｂ）はスリーブカバー及び電線を挟持した状態を説明する図である。
【図６】従来のスリーブカバーを示す図である。
【発明を実施するための形態】
【００２２】
以下、本発明の実施の形態に係るスリーブカバー保持具について、図を用いて説明する。
【００２３】
図１は、本発明の実施の形態に係るスリーブカバー保持具１の全体斜視図を示している。スリーブカバー保持具１は、大小２つの挟持構造を有している。
【００２４】
これらのうち、大きい方の挟持構造は、スリーブカバーを挟持するためのカバー挟持部２である。カバー挟持部２は一対の挟持片２ａ、２ｂからなるヤットコ型の挟持構造であり、それぞれ枢支部４（第１枢支部）を介して一方側に対象物を挟持する顎部６（第１顎部）、他方側に開閉操作のためのアーム８（第１アーム部）を有している。
【００２５】
小さい方の挟持構造は、電線を挟持するための電線挟持部１０である。電線挟持部１０もカバー挟持部２と同様に、一対の挟持片１０ａ、１０ｂからなるヤットコ型の挟持構造であり、それぞれ枢支部１２（第２枢支部）を介して一方側に電線を挟持する顎部１４（第２顎部）、他方側に開閉操作のためのアーム１６（第２アーム部）を有している。これらカバー挟持部２と電線挟持部１０とは、共通回転軸１８及び操作部２０により所定間隔を空けて一体的に構成されている。
【００２６】
共通回転軸１８は、カバー挟持部２及び電線挟持部１０のそれぞれの枢支部４、１２を回転自在に軸支する共通軸であるとともに、カバー挟持部２と電線挟持部１０とを間隔を空けて支持するスペーサーでもある。なお、本実施の形態においては、共通回転軸１８が２つの挟持構造の枢支部４、１２の共通の回転軸として構成されているが、カバー挟持部２及び電線挟持部１０の枢支部４、１２の近傍で支え、所定の間隔を保持する構成であれば、枢支部４又は枢支部１２の回転中心と一致していなくても構わない。
【００２７】
操作部２０は、カバー挟持部２及び電線挟持部１０のそれぞれのアーム８、１６同士を一体動可能に連結している。操作部２０の略中央位置には、遠隔操作用ヤットコの先端に取り付け可能なアダプター２２が連結棒２４に対して回転自在に設けられている。アダプター２２には遠隔操作用ヤットコの先端を脱着可能に固定できるプランジャー２２ａを備えている。また、操作部２０は上記の共通回転軸１８と同様に、カバー挟持部２と電線挟持部１０とを所定の間隔を空けて保持するスペーサーでもある。なお、本実施の形態においては、アダプター２２が連結棒２４に対して回転自在に設けられている構成を例として示しているが、連結棒２４がアーム８、１６のそれぞれを回転自在に軸支する構成であっても構わない。
【００２８】
ところで、カバー挟持部２及び電線挟持部１０には、大きさ以外にも顎部６、１４の形状に違いがある。電線挟持部１０の顎部１４の内縁は、直線形状の組み合わせにより形成されているのに対して、カバー挟持部２の顎部６の内縁は曲線形状を含んでいる。具体的には、電線挟持部１０の顎部１４の内縁は、枢支部１２と顎部１４の先端との略中間位置で凹状に屈曲形成されている。これに対して、カバー挟持部２の顎部６の内縁は、枢支部４と顎部６の先端との略中間位置を境界として、枢支部４側は凹状に湾曲形成され、先端側は電線挟持部１０と同様に直線状に形成されている。これら境界部分は、電線挟持部１０と同様に凹状に屈曲形成されている。
【００２９】
加えて、カバー挟持部２の枢支部４の周辺には、顎部６の内縁よりも内側へ突出するように突出部６ｄが形成されている。このため、収容されたスリーブカバー１０４（図４参照）は、枢支部４近傍においては、突出部６ｄに当接するので、顎部６の内縁には接触しない。
【００３０】
また、本実施の形態に係るスリーブカバー保持具１では、カバー挟持部２及び電線挟持部１０ともに、対をなしている挟持片２ａ、２ｂ、１０ａ、１０ｂの一方（挟持片２ａ、１０ａ）が２枚構成となっている。これにより、把持対象に接するエッジの数が増えるのでグリップ力が増大し、挟持状態が安定する。また、それぞれの２枚構成の挟持片２ａ、１０ａは異なる可動パーツに配置されているので、重量バランスが良好である。
【００３１】
図２はスリーブカバー保持具１の正面図を示している。共通回転軸１８はカバー挟持部２の枢支部４と電線挟持部１０の枢支部１２に対して回転自在に設けられており、操作部２０のアダプター２２は連結棒２４に対して回転自在に設けられていることは上に述べた。
【００３２】
図２から分かるように、本実施の形態においては、共通回転軸１８と連結棒２４とは略平行に配置されている。このため、連結棒２４から枢支部４までの高さｈ１と、連結棒２４から枢支部１２までの高さｈ２とは略同じである。
【００３３】
このように、本実施の形態に係るスリーブカバー保持具１では、大きさの異なるカバー挟持部２及び電線挟持部１０に対して均等に力が入力されるように構成されている。
【００３４】
続いて、枢支部４、１２よりも先端側の顎部６、１４の形状について、図３を用いて説明する。
【００３５】
図３は、スリーブカバー保持具１のカバー挟持部２側から見た側面図である。上述のように、カバー挟持部２の顎部６は湾曲形成された部分と直線状に形成された部分とを含んでいる。図３では、これらを湾曲領域６ａ、直線領域６ｃとして示している。また、湾曲領域６ａと直線領域６ｃとの境界で凹状に形成された部分を屈曲部６ｂとして表している。
【００３６】
電線挟持部１０（図１参照）の顎部１４については、枢支部１２（図１参照）に近い領域を直線領域１４ａとし、先端側の領域を直線領域１４ｃとして示している。そして、直線領域１４ａ、１４ｃの境界で凹状に形成された部分を屈曲部１４ｂとして表している。
【００３７】
また、図３には、アーム８の伸びる方向に沿って一点鎖線を重ねて示している。カバー挟持部２のアーム８と電線挟持部１０のアーム１６とは略平行であるので（図１参照）、一点鎖線はアーム１６にも投影される。この図３から見て取れるように、カバー挟持部２の顎部６の方が、電線挟持部１０の顎部１４よりも上記一点鎖線から外側（開側）へ大き
く離れている。
【００３８】
すなわち、アーム８、１６の同じ開度に対して、挟持対象へ作用する力成分の大きさは、同じ半径位置で比較すると、外側へ広がっている顎部６の方が顎部１４よりも小さい。これにより、操作部２０を閉じることにより同じ挟持力をそれぞれのアーム８、１６に与えても、スリーブカバー１０４（図４参照）に作用する力を小さく抑えることができるので、表面に傷が付き難い。
【００３９】
このように、本実施の形態に係るスリーブカバー保持具１では、入力側においては、カバー挟持部２と電線挟持部１０とに均等に力を受けるように構成され、出力側においては、挟持対象に作用する挟持力を顎部６、１４の開き角の違いにより調整された構成となっている。
【００４０】
したがって、作業者はスリーブカバー及び電線に対する微妙な力加減を意識することなく、均等に力を加えるだけで、それぞれの対象に応じた適度な力加減で挟持することが可能となる。
【００４１】
次に、上記のスリーブカバー保持具１の使用状態について述べる。
【００４２】
図４は、スリーブカバー保持具１の使用状態を説明する図であり、スリーブ（図示省略）によって接続処理を施した電線１００に取り付けられたスリーブカバー１０４と共に電線１００が挟持されている様子を示している。ここに示すスリーブカバー１０４は、スリーブを収容できる筒状の本体部１０５と、本体部１０５の両端に配置された端部チューブ１０６とを有している。端部チューブ１０６は伸縮性に優れ、伸張拡径状態に保持するためのコア部材１０７を内側に備えている。コア部材１０７はコアリボン１０７ａが螺旋状に巻かれて円筒形状に形成された部材であり、外側に一端を伸ばすようにして配置されている。
【００４３】
スリーブカバー保持具１により電線１００とスリーブカバー１０４とを同時に挟持するとコアリボン１０７ａの一端を引き出した際のスリーブカバー１０４の位置ずれを防止できる。コアリボン１０７ａが引き出されることにより螺旋が解かれ、残った端部チューブ１０６が電線１００の被覆端部１０２に密着する。このような作業を、スリーブカバー１０４の両端で行うことにより、接続された電線１００の絶縁処理が完了する。
【００４４】
本実施の形態に係るスリーブカバー１０４は、一つの遠隔操作棒により電線１００とスリーブカバー１０４とを同時に挟持できるので、作業時間の短縮化を図ることができる上に、遠隔操作棒などの工具及び作業人員の削減も可能となる。
【００４５】
ここで、スリーブカバー保持具１において、カバー挟持部２と電線挟持部１０との間を所定の間隔に保つためにスペーサーとして共通回転軸１８が用いられているが、この所定の間隔は、スリーブカバー１０４の端部処理を行うことができる程度の間隔に設定されていれば十分である。図４に示したような、収縮チューブを端部に備えた形態のスリーブカバー１０４であれば、端部チューブ１０６を跨ぐことができる程度の間隔に設定すれば良い。
【００４６】
図５は、カバー挟持部２の顎部６の作用を説明する図である。図５（ａ）はスリーブカバー１０４（図４参照）及び電線１００を収容できるように開放した状態を示し、図５（ｂ）はスリーブカバー１０４及び電線１００を挟持した状態を示している。ここでは、説明の便宜のため、上述のスリーブカバー１０４の本体部１０５の外径を表す位置と電線１００の位置とを模式的に点線で表している。
【００４７】
図５（ａ）に示すように、本体部１０５の下端にカバー挟持部２（図１参照）の枢支部４周辺の突出部６ｄを当接させるようにしてスリーブカバー保持具１（図１参照）が配置される。このとき、突出部６ｄの高さ分だけ、本体部１０５と顎部６の内縁との間に隙間Ｄ１が形成される。
【００４８】
次に、図５（ｂ）に示すように、顎部６を閉じると、先端側のそれぞれの直線領域６ｃの内縁が本体部１０５に当接する。このように、本体部１０５は顎部６によって３点で固定される。本実施の形態に係るスリーブカバー保持具１では、本体部１０５がカバー挟持部２により挟持された状態にあっても、顎部６の湾曲領域６ａの内縁との間に隙間Ｄ２が残る程度に突出部６ｄの突出高さが設定されている。すなわち、カバー挟持部２が閉じられる際に、本体部１０５の下端面が顎部６の内縁に挟み込まれる恐れがない。また、常に突出部６ｄが接点となるので、本体部１０５の周方向に擦り傷が発生する恐れもない。
【００４９】
このように、視認性が十分ではない状況で、しかも、手元に感覚が伝わり難い遠隔操作においても、単に、スリーブカバー１０４の本体部１０５の一面にカバー挟持部２の突出部６ｄを当接させるだけで位置決めが可能である。また、位置決めの際に不用意に操作部２０が閉じられる場合であっても、挟み込みの恐れはないので作業は容易であり、熟練を要しない。
【００５０】
なお、本実施の形態に係るスリーブカバー保持具１においては、顎部６の湾曲領域６ａと直線領域６ｃとの境界が、略中央に設定されている構成を例として示したが、挟持対象となるスリーブカバー１０４を３点で挟持できる構成であれば、境界が中央に形成されていなくても構わない。
【００５１】
また、上記の実施の形態では、枢支部４の周辺に突出部６ｄが形成されている構成を例として示したが、形成されていなくても構わない。少なくとも、スリーブカバー１０４を収容可能に開かれた状態において、挟持片２ａ、２ｂの顎部６の内縁の曲率が連続するように、枢支部４近傍の湾曲領域６ａにおいて滑らかに形成されていれば、閉じられる際の顎部６の内縁同士の重なり領域が最小限に抑えられるので、スリーブカバー１０４の挟み込みを防止することができる。
【産業上の利用可能性】
【００５２】
本発明のスリーブカバー保持具は、表面に傷を生じさせることなく、電線と共にスリーブカバーを仮保持できるので、特に、収縮チューブ等を含むスリーブカバーを保持する工程において有用である。
【符号の説明】
【００５３】
１      スリーブカバー保持具
２      カバー挟持部
２ａ、２ｂ      挟持片
４      枢支部（第１枢支部）
６      顎部（第１顎部）
６ａ      湾曲領域
６ｂ      屈曲部
６ｃ      直線領域
６ｄ      突出部
８      アーム（第１アーム部）
１０      電線挟持部
１０ａ、１０ｂ      挟持片
１２      枢支部（第２枢支部）
１４      顎部（第２顎部）
１４ａ、１４ｃ      直線領域
１４ｂ      屈曲部
１６      アーム（第２アーム部）
１８      共通回転軸
２０      操作部
２２      アダプター
２２ａ      プランジャー
２４      連結棒
１００      電線
１０２      被覆端部
１０３      スリーブ
１０４      スリーブカバー
１０５      本体部
１０６      端部チューブ
１０７      コア部材
１０７ａ      コアリボン
【図１】
2018074675.tif 000003
【図２】
2018074675.tif 000004
【図３】
2018074675.tif 000005
【図４】
2018074675.tif 000006
【図５】
2018074675.tif 000007
【図６】
2018074675.tif 000008